(57)【特許請求の範囲】
【請求項１】
個体認識領域内の撮影を行って画像データを出力する撮影手段と、
個々のユーザ毎に固有の識別情報を有する非接触通信媒体と、
個体認識領域内の前記非接触通信媒体の識別情報を検出する個体認識手段と、
コマンド入力領域内の前記非接触通信媒体の識別情報を検出するコマンド入力手段と、
該コマンド入力手段により特定の前記非接触通信媒体が所定時間以上検出された際に前記撮影手段に撮影を指示する撮影指示手段と、
該撮影指示手段によって撮影が指示された際に前記個体認識手段によって検出されている前記非接触通信媒体の識別情報を前記画像データと対応付けて保持する画像データベースと、を備え、
前記画像データベースに、前記撮影指示手段によって撮影が指示された際に前記コマンド入力手段によって検出されている前記非接触通信媒体の識別情報を、前記画像データと前記個体認識手段によって検出されている前記非接触通信媒体の識別情報に対応付けて保持する、撮影装置。
【請求項２】
請求項１に記載の撮影装置において、
前記撮影手段を複数有し、
前記画像データベースに、前記画像データを撮像した撮影手段毎に固有の識別情報を、前記個体認識手段によって検出されている前記非接触通信媒体の識別情報と前記画像データとに対応付けて保持する、撮影装置。
【請求項３】
請求項１又は２に記載の撮影装置において、
前記個体認識手段を複数有し、
前記撮影手段と各々の個体認識手段の間の距離に応じた情報を保持する配置情報保持手段と、
前記画像データベースに、前記撮影指示手段によって撮影が指示された際に各個体認識手段によって検出されている前記非接触通信媒体の識別情報を、前記画像データと検出した個体認識手段の識別情報に対応付けて保持する、撮影装置。
【請求項４】
コマンド入力領域内の特定の非接触通信媒体が所定時間以上検出された際に個体認識領域内の撮影を行う撮影手段によって撮影された画像データを取得する第１取得手段と、
前記画像データが撮影された際に前記特定の非接触通信媒体の識別情報及び前記個体認識領域内で検出された非接触通信媒体の識別情報を取得する第２取得手段と、
前記撮影手段によって撮影された画像データと、前記特定の非接触通信媒体の識別情報及び前記個体認識領域内で検出された非接触通信媒体の識別情報と、が対応付けられて格納された画像データベースと、
特定のユーザ毎に、前記画像データベースから、当該ユーザに対応する非接触通信媒体の識別情報が対応付けられている画像データを選択し、選択した画像データ毎に、所定の演算を実行して重要度を算出する算出手段と、
前記算出された重要度に応じて、前記画像データのインデックスデータを作成するインデックス作成手段と、
端末装置からの要求に応じて前記インデックス作成手段が作成したインデックスデータを提供するインデックス提供手段と、を備える、画像提供サーバ装置。
【請求項５】
コマンド入力領域内の特定の非接触通信媒体が所定時間以上検出された際に個体認識領域内の撮影を行う撮影手段によって撮影された画像データを取得する第１取得手段と、
前記画像データが撮影された際に前記特定の非接触通信媒体の識別情報及び前記個体認識領域内で検出された非接触通信媒体の識別情報を取得する第２取得手段と、
前記撮影手段によって撮影された画像データと、前記特定の非接触通信媒体の識別情報及び当該画像データが撮影された際に前記個体認識領域内で検出された非接触通信媒体の識別情報とが対応付けられて格納された画像データベースと、
特定のユーザ毎に、前記画像データベースから、当該ユーザに対応する非接触通信媒体の識別情報が対応付けられている画像データを選択し、選択した画像データ毎に、当該画像データに対応付けられている他のユーザの非接触通信媒体の識別情報に応じた親密度を求める親密度算出手段と、
該親密度算出手段が求めた各々の画像データ毎の親密度に応じて、前記画像データのインデックスデータを作成するインデックス作成手段と、
端末装置からの要求に応じて前記インデックス作成手段が作成したインデックスデータを提供するインデックス提供手段とを備える、画像提供サーバ装置。
【請求項６】
コマンド入力領域内の特定の非接触通信媒体が所定時間以上検出された際に個体認識領域内の撮影を行う撮影手段によって撮影された画像データを取得する第１取得手段と、
前記画像データが撮影された際に前記特定の非接触通信媒体の識別情報及び前記個体認識領域内で検出された非接触通信媒体の識別情報を取得する第２取得手段と、
前記撮影手段によって撮影された画像データと、当該画像データが撮影された際に前記個体認識領域内で検出された非接触通信媒体の識別情報と、撮影が指示された際にコマンド入力領域内で検出されている前記非接触通信媒体の識別情報（操作者識別情報）とが対応付けられて格納された画像データベースと、
特定のユーザ毎に、前記画像データベースから、当該ユーザに対応する非接触通信媒体の識別情報が対応付けられている画像データを選択し、選択した画像データ毎に、当該画像データに対応付けられている前記操作者識別情報に応じた注目度を求める注目度算出手段と、
該注目度算出手段が求めた注目度に応じて、画像データのインデックスデータを作成するインデックス作成手段と、
端末装置からの要求に応じて該インデックス作成手段が作成したインデックスデータを提供するインデックス提供手段とを備える、画像提供サーバ装置。
【請求項７】
コマンド入力領域内の特定の非接触通信媒体が所定時間以上検出された際に個体認識領域内の撮影を行う撮影手段によって撮影された画像データを取得する第１取得手段と、
前記画像データが撮影された際に前記特定の非接触通信媒体の識別情報及び前記個体認識領域内で検出された非接触通信媒体の識別情報を取得する第２取得手段と、
前記撮影手段によって撮影された画像データと、前記特定の非接触通信媒体の識別情報及び当該画像データが撮影された際に前記個体認識領域内で検出された非接触通信媒体の識別情報と、画像データを撮像した撮影手段が設置されている場所毎に固有の識別情報（記録端末識別情報）とが対応付けられて格納された画像データベースと、
特定の記録端末識別情報が対応対応付けられている画像データを前記画像データベースから選択し、記録端末識別情報毎に、当該選択した画像データに対応付けられている前記非接触通信媒体の識別情報に応じた人気度を求める人気度算出手段と、
該人気度算出手段が求めた人気度に応じて、前記画像データのインデックスデータを作成するインデックス作成手段と、
端末装置からの要求に応じて該インデックス作成手段が作成したインデックスデータを提供するインデックス提供手段とを備える、画像提供サーバ装置。
【請求項８】
個体認識領域内の撮影を行う撮影手段によって撮影された画像データと、当該画像データが撮影された際に前記個体認識領域内で検出された非接触通信媒体の識別情報と、撮影指示手段によって撮影が指示された際に各個体認識手段によって検出されている前記非接触通信媒体の識別情報とが対応付けられて格納された画像データベースと、
前記撮影手段と各々の個体認識手段の間の距離に応じた情報を保持する配置情報保持手段と、
特定のユーザ毎に、前記画像データベースから、当該ユーザに対応する非接触通信媒体の識別情報が対応付けられている画像データを選択し、選択した画像データ毎に、当該画像データに対応付けられている検出した固体認識手段の識別情報と前記配置情報保持手段に保持されている情報に応じた撮影手段までの近さを求める近接度算出手段と、
該近接度算出手段が求めた近接度に応じて、前記画像データのインデックスデータを作成するインデックス作成手段と、
端末装置からの要求に応じて該インデックス作成手段が作成したインデックスデータを提供するインデックス提供手段とを備える、画像提供サーバ装置。
【請求項９】
画像データをネットワーク経由で端末装置に提供するサーバ装置で実行される画像提供プログラムであって、
当該サーバ装置を、
コマンド入力領域内の特定の非接触通信媒体が所定時間以上検出された際に個体認識領域内の撮影を行う撮影手段によって撮影された画像データを取得する第１取得手段と、
前記画像データが撮影された際に前記特定の非接触通信媒体の識別情報及び前記個体認識領域内で検出された非接触通信媒体の識別情報を取得する第２取得手段と、
前記撮影手段によって撮影された画像データと、前記特定の非接触通信媒体の識別情報及び前記個体認識領域内で検出された非接触通信媒体の識別情報と、が対応付けられて格納された画像データベース、
特定のユーザ毎に、前記画像データベースから、当該ユーザに対応する非接触通信媒体の識別情報が対応付けられている画像データを選択し、選択した画像データ毎に、所定の演算を実行して重要度を算出する算出手段、
前記算出された重要度に応じて、前記画像データのインデックスデータを作成するインデックス作成手段、及び、
前記端末装置からの要求に応じて前記インデックス作成手段が作成したインデックスデータを提供するインデックス提供手段、
として機能させる画像提供プログラム。
【発明の詳細な説明】
【技術分野】
【０００１】
本発明は、例えばイベント会場等の画像を撮影し、ネットワーク経由で提供する撮影サービスを提供する撮影装置、画像提供サーバ装置等に関する。
【背景技術】
【０００２】
静止画等の写真や、動画等のビデオ映像等、ユーザのコンテンツを一元管理し、複数のユーザが共通のイベントに参加した際のコンテンツを、位置情報・時刻情報を基に分類して提供することにより、ユーザ間のコンテンツの共有を行う技術が知られている（例えば特許文献１）。
【先行技術文献】
【特許文献】
【０００３】
【特許文献１】特開２００６−７５１１８号公報
【発明の概要】
【発明が解決しようとする課題】
【０００４】
しかしながら、特許文献１に開示された技術では、ユーザが、自分の写っている写真を見たい場合でも、画像データには、写っているユーザについての情報が対応付けられていないため、写っていそうな画像データを手当たり次第に探さないといけなかった。また、画像データ毎に写っているユーザについての情報を対応付けようとすると、膨大な作業が必要になる。
【０００５】
また、当該技術では、場所の人気度、写っている他のユーザとの親密度、注目度等を考慮した画像データの分類等を行っておらず、ユーザによる選択の利便性に対する改善の余地があった。
【０００６】
本発明は、上記課題を解決するためになされたものであり、その目的は、画像データに、写っているユーザについての情報等を簡易に対応付けることができ、利便性を向上させることができる撮影装置、画像提供サーバ装置及び画像提供プログラムを提供することにある。
【課題を解決するための手段】
【０００７】
（１）上記課題を解決するための本発明の撮影装置は、個体認識領域内の撮影を行って画像データを出力する撮影手段と、個々のユーザ毎に固有の識別情報を有する非接触通信媒体と、個体認識領域内の前記非接触通信媒体の識別情報を検出する個体認識手段と、コマンド入力領域内の前記非接触通信媒体の識別情報を検出するコマンド入力手段と、該コマンド入力手段により特定の前記非接触通信媒体が所定時間以上検出された際に前記撮影手段に撮影を指示する撮影指示手段と、該撮影指示手段によって撮影が指示された際に前記個体認識手段によって検出されている前記非接触通信媒体の識別情報を前記画像データと対応付けて保持する画像データベースとを備えている。
【０００８】
この発明によれば、撮像された画像データに、撮影指示手段によって撮影が指示された際に個体認識手段によって検出されている非接触通信媒体の識別情報を対応付けて画像データベースに保持することができ、画像データに写っているユーザについての情報を簡易に対応付けることができる。
【０００９】
（２）また、本発明の撮影装置は、前記画像データベースに、撮影指示手段によって撮影が指示された際に前記コマンド入力手段によって検出されている前記非接触通信媒体の識別情報を、前記画像データと前記個体認識手段によって検出されている前記非接触通信媒体の識別情報に対応付けて保持するように構成されている。
【００１０】
（３）また、本発明の撮影装置は、前記撮影手段を複数有し、前記画像データベースに、画像データを撮像した撮影手段毎に固有の識別情報を、前記前記個体認識手段によって検出されている前記非接触通信媒体の識別情報と前記画像データとに対応付けて保持するように構成されている。
【００１１】
（４）また、本発明の撮影装置は、前記個体認識手段を複数有し、前記撮像手段と各々の個体認識手段の間の距離に応じた情報を保持する配置情報保持手段と、前記画像データベースに、撮影指示手段によって撮影が指示された際に各個体認識手段によって検出されている前記非接触通信媒体の識別情報を、前記画像データと検出した個体認識手段の識別情報に対応付けて保持するように構成されている。
【００１２】
（５）また、本発明の画像提供サーバ装置は、個体認識領域内の撮影を行う撮影手段によって撮影された画像データと、当該画像データが撮影された際に前記個体認識領域内で検出された非接触通信媒体の識別情報とが対応付けられて格納された画像データベースと、特定のユーザ毎に、前記画像データベースから、当該ユーザに対応する非接触通信媒体の識別情報が対応付けられている画像データを選択し、選択した画像データ毎に、当該画像データに対応付けられている他のユーザの非接触通信媒体の識別情報に応じた親密度を求める親密度算出手段と、該親密度算出手段が求めた各々の画像データ毎の親密度に応じて、画像データのインデックスデータを作成するインデックス作成手段と、端末装置からの要求に応じて前記インデックス作成手段が作成したインデックスデータを提供するインデックス提供手段とを備える構成を有している。
【００１３】
この発明によれば、画像データに対応付けられた非接触通信媒体の識別情報に応じて、同じ画像データに写っている他のユーザとの親密度に応じたインデックス画像を生成することができる。
【００１４】
（６）また、本発明の画像提供サーバ装置は、個体認識領域内の撮影を行う撮影手段によって撮影された画像データと、当該画像データが撮影された際に前記個体認識領域内で検出された非接触通信媒体の識別情報と、撮影が指示された際にコマンド入力領域内で検出されている前記非接触通信媒体の識別情報（操作者識別情報）とが対応付けられて格納された画像データベースと、特定のユーザ毎に、前記画像データベースから、当該ユーザに対応する非接触通信媒体の識別情報が対応付けられている画像データを選択し、選択した画像データ毎に、当該画像データに対応付けられている前記操作者識別情報に応じた注目度を求める注目度算出手段と、該注目度算出手段が求めた注目度に応じて、画像データのインデックスデータを作成するインデックス作成手段と、端末装置からの要求に応じて該インデックス作成手段が作成したインデックスデータを提供するインデックス提供手段とを備える構成を有している。
【００１５】
（７）また、本発明の画像提供サーバ装置は、個体認識領域内の撮影を行う撮影手段によって撮影された画像データと、当該画像データが撮影された際に前記個体認識領域内で検出された非接触通信媒体の識別情報と、画像データを撮像した撮影手段が設置されている場所毎に固有の識別情報（記録端末識別情報）とが対応付けられて格納された画像データベースと、特定の記録端末識別情報が対応対応付けられている画像データを前記画像データベースから選択し、記録端末識別情報毎に、当該選択した画像データに対応付けられている前記個体認識手段によって検出されている前記非接触通信媒体の識別情報に応じた人気度を求める人気度算出手段と、該人気度算出手段が求めた人気度に応じて、画像データのインデックスデータを作成するインデックス作成手段と、端末装置からの要求に応じて該インデックス作成手段が作成したインデックスデータを提供するインデックス提供手段とを備える構成を有している。
【００１６】
（８）また、本発明の画像提供サーバ装置は、個体認識領域内の撮影を行う撮影手段によって撮影された画像データと、当該画像データが撮影された際に前記個体認識領域内で検出された非接触通信媒体の識別情報と、撮影指示手段によって撮影が指示された際に各個体認識手段によって検出されている前記非接触通信媒体の識別情報とが対応付けられて格納された画像データベースと、前記撮像手段と各々の個体認識手段の間の距離に応じた情報を保持する配置情報保持手段と、特定のユーザ毎に、前記画像データベースから、当該ユーザに対応する非接触通信媒体の識別情報が対応付けられている画像データを選択し、選択した画像データ毎に、当該画像データに対応付けられている検出した固体認識手段の識別情報と前記配置情報保持手段に保持されている情報に応じた撮像手段までの近さを求める近接度算出手段と、該近接度算出手段が求めた近接度に応じて、画像データのインデックスデータを作成するインデックス作成手段と、端末装置からの要求に応じて該インデックス作成手段が作成したインデックスデータを提供するインデックス提供手段とを備える構成を有している。
【００１７】
（９）また、本発明の画像提供プログラムは、画像データベースに格納されている画像データをネットワーク経由で端末装置に提供するサーバ装置で実行される画像提供プログラムであって、当該サーバ装置を、個体認識領域内の撮影を行う撮影手段によって撮影された画像データと、当該画像データが撮影された際に前記個体認識領域内で検出された非接触通信媒体の識別情報とが対応付けられて格納された画像データベースと、特定のユーザ毎に、前記画像データベースから、当該ユーザに対応する非接触通信媒体の識別情報が対応付けられている画像データを選択し、選択した画像データ毎に、当該画像データに対応付けられている他のユーザの非接触通信媒体の識別情報に応じた親密度を求める親密度算出手段と、該親密度算出手段が求めた各々の画像データ毎の親密度に応じて、画像データのインデックスデータを作成するインデックス作成手段と、端末装置からの要求に応じて前記インデックス作成手段が作成したインデックスデータを提供するインデックス提供手段として機能させる。
【発明の効果】
【００１８】
本発明に係る撮影装置は、撮像された画像データに、撮影指示手段によって撮影が指示された際に個体認識手段によって検出されている非接触通信媒体の識別情報を対応付けて画像データベースに保持することができ、画像データに写っているユーザについての情報を簡易に対応付けることができ、利便性を向上させることができる。
【００１９】
また、本発明に係る画像提供サーバ装置は、親密度算出手段が、特定のユーザ毎に、前記画像データベースから、当該ユーザに対応する非接触通信媒体の識別情報が対応付けられている画像データを選択し、選択した画像データ毎に、当該画像データに対応付けられている他のユーザの非接触通信媒体の識別情報に応じた親密度を求め、インデックス作成手段が、親密度算出手段が求めた各々の画像データ毎の親密度に応じて、画像データのインデックスデータを作成することにより、画像データに対応付けられた非接触通信媒体の識別情報に応じて、同じ画像データに写っている他のユーザとの親密度に応じたインデックス画像を生成することができ、利便性を向上させることができる。
【図面の簡単な説明】
【００２０】
【図１】本発明の一実施形態における撮影システムの構成を示すブロック図である。
【図２】画像データベースに保持されるテーブルの例を示す図である。
【図３】会場内の記録端末装置の設置状況を示す図である。
【図４】画像データベースに保持されるテーブルの例を示す図である。
【図５】ログイン情報保持部に保持されるテーブルの例を示す図である。
【図６】撮影制御処理を示すフローチャートである。
【図７】画像データに対応する情報のテーブルを示す図である。
【図８】撮影に要した時間を求める処理を示す図である。
【図９】画像提供サーバ装置に対する画像データ等のアップロード処理を示すシーケンス図である。
【図１０】画像データベースに保持されるテーブルの例を示す図である。
【図１１】画像データベースに保持されるテーブルの例を示す図である。
【図１２】インデックス情報の作成時に用いるテンプレートデータの例を示す図である。
【図１３】画像データベースに保持されるテーブルの例を示す図である。
【図１４】インデックス情報に応じてユーザ端末装置に表示される画像の例を示す図である。
【図１５】インデックス情報に応じてユーザ端末装置に表示される画像の例を示す図である。
【図１６】変形例の撮影システムの構成と個体認識領域内の重み付けを概念的に示す図である。
【発明を実施するための形態】
【００２１】
以下、本発明の各実施形態について、図面を参照しながら説明する。
【００２２】
なお、以下に説明する実施形態は、イベント会場やパーティ会場等の画像を撮影し、ネットワーク経由で提供する撮影システムに、本発明に係る撮影装置等を適用した場合の実施形態である。
【００２３】
＜構成＞
まず、図１を用いて撮影システムの構成について説明する。なお、図１は、当該撮影システムの全体の構成を示す図である。
【００２４】
この映像配信システムは、ファンイベント等の会場に設置され、会場の画像を撮影する記録端末装置１０と、記録端末装置１０によって撮影された画像の管理を行う撮影サーバ装置２０と、ネットワーク１経由でユーザ端末装置４０に画像データを提供する画像提供サーバ装置３０とを備えている。なお、この構成例では、記録端末装置１０、撮影サーバ装置２０及び画像提供サーバ装置３０を独立した装置として構成した例を示しているが、これらの一つの装置として構成することもでき、あるいは、撮影サーバ装置２０と画像提供サーバ装置３０等の、いずれか２つの装置を同一の装置として構成することもできる。
【００２５】
記録端末装置１０は、画像を撮影するカメラ１１［撮影手段］と、ユーザが足首や靴等に装着するＩＣタグ１２［非接触通信媒体］と、個体認識領域１３内にあるＩＣタグ１２を認識する個体認識用リーダライタ（Ｒ／Ｗ）１４［個体認識手段］と、コマンド入力領域１５内にあるＩＣタグ１２を認識するコマンド用リーダライタ（Ｒ／Ｗ）１６［コマンド入力手段］と、カメラ１１と個体認識用Ｒ／Ｗ１４及びコマンド用Ｒ／Ｗ１６の制御等を行うコントローラ１７［撮影指示手段］とを備えている。また、会場の床面等には、ユーザが個体認識領域１３とコマンド入力領域１５の位置を認識するための表示と、カメラ１１の位置を示す表示１９が設けられている。
【００２６】
カメラ１１は、コントローラ１７からの指示に応じて撮影を行い、例えばＥｙｅＦｉ（商標）等のように、撮影した画像の画像データを無線ネットワーク経由で撮影サーバ装置２０に送信する送信機能を有している。
【００２７】
ＩＣタグ１２は、例えば個々のＩＣタグ１２毎に固有の識別情報が割り当てられたＲＦＩＤ等の非接触ＩＣカード等で構成されている。個体認識用Ｒ／Ｗ１４とコマンド用Ｒ／Ｗ１６は、各々の検出領域（個体認識領域１３、コマンド入力領域１５）内にあるＩＣタグ１２との間で無線通信を行い、当該領域内にあるＩＣタグ１２からの情報（個々のＩＣタグ１２毎に割り当てられた固有のタグＩＤと内部識別情報）を読み取るようになっている。個体認識用Ｒ／Ｗ１４とコマンド用Ｒ／Ｗ１６の検出領域は、各々個体認識領域１３とコマンド入力領域１５に対応するマット状のアンテナの配置等によって調整することができるようになっている。これにより、個体認識用Ｒ／Ｗ１４は個体認識領域１３内のＩＣタグ１２を検出し、コマンド用Ｒ／Ｗ１６は、コマンド入力領域１５内のＩＣタグ１２を検出するように配置されている。ＩＣタグ１２、個体認識用Ｒ／Ｗ１４、及びコマンド用Ｒ／Ｗ１６には、例えばＴＹＰＥ−Ａ、ＴＹＰＥ−Ｂ、Ｆｅｌｉｃａ（登録商標）、ＮＦＣ等の規格に準拠した製品を使用することができる。
【００２８】
コントローラ１７は、例えばパーソナルコンピュータ等の情報処理装置から構成されており、制御用のソフトウェアの実行により、コントローラ１７として機能し、コマンド用Ｒ／Ｗ１６が検出したＩＣタグ１２の情報等に基づいてカメラ１１の制御等を実行する。
【００２９】
また、撮影サーバ装置２０は、例えばパーソナルコンピュータ等の情報処理装置から構成されており、制御用のソフトウェアの実行により、無線ネットワーク経由でカメラ１１からの画像データを取得する画像取得部２１と、コントローラ１７から画像データに対応する情報を取得する被写体情報取得部２２と、画像データ等を保持する画像データベース２３と、ログイン情報保持部２５に保持されているログイン情報を用いて画像データベース２３に保持されている画像データ等を画像提供サーバ装置３０にアップロードするアップロード処理部２４と、ユーザ端末装置４０等から受信したログイン情報をログイン情報保持部２５に登録する登録処理部２６として機能する。なお、登録処理部２６は、例えばＨＴＴＰサーバとして実装されており、所定の入力フォームを介してユーザが入力したログイン情報をログイン情報保持部２５に登録するようになっている。
【００３０】
また、画像提供サーバ装置３０は、例えばパーソナルコンピュータ等の情報処理装置から構成されており、制御用のソフトウェアの実行により、ユーザ認証を行うログイン処理部３１と、画像データ等を保持する画像データベース３２と、画像データベース３２に保持されている画像データのインデックスを作成するインデックス作成部３３と、作成されたインデックスを提供するインデックス提供部３４として機能する。
【００３１】
なお、インデックス提供部３４は、例えばＨＴＴＰサーバとして実装されており、インデックス作成部３３は、ＨＴＴＰサーバのバックエンドで動作し、画像データベース３２等に対するデータ操作を実行するデータベースサーバとして実装されている。また、ログイン処理部３１は、ＩＤとパスワードによってユーザの認証を行って、データベースサーバに対するアクセスを制限する認証機能として実装されている。
【００３２】
また、ユーザ端末装置４０は、例えばパーソナルコンピュータ・携帯情報端末装置等の情報処理装置から構成されており、ネットワーク１を介して画像提供サーバ装置３０等と通信を行う通信処理部４１（図示せず）と、画像提供サーバ装置３０が提供するインデックスの閲覧等を行うＷｅｂブラウザ４２（図示せず）と、Ｗｅｂブラウザ４２等の画像を表示する表示部４３（図示せず）と、ユーザからの指示等を入力する入力部４４（図示せず）とを備えている。
【００３３】
＜データ構造＞
図２は、この撮影システムを使用する個々のユーザ毎に固有の識別情報（ユーザＩＤ）と当該ユーザが使用しているＩＣタグ１２のタグＩＤ及び内部識別情報との対応関係を示すテーブル２３Ａの構成を示している。
【００３４】
会場が広い場合には、例えば図３に示すように、複数の記録端末装置１０を設置するようにしてもよい。この図３は、会場を複数の領域（エリア００１、エリア００２、エリア００３）に区切り、複数の記録端末装置１０を設置した場合の例を示している。各々の領域には固有の設置場所ＩＤを割り当てている。
【００３５】
また、画像データベース２３には、例えば図４に示すように、個々の記録端末装置１０毎に、テーブル２３Ｃが保持されている。このテーブル２３Ｃには、記録端末装置１０の記録端末ＩＤに対応させて、当該記録端末装置１０が設置された領域の設置場所ＩＤと、個々のカメラ１１毎に固有の識別情報（記録手段ＩＤ）と、個々の個体認識用Ｒ／Ｗ１４毎に固有の識別情報（個体認識手段）と、個々のコマンド用Ｒ／Ｗ１６毎に固有の識別情報（コマンド入力手段）とが記録されている。
【００３６】
また、ログイン情報保持部２５には、例えば図５に示すように、各ユーザのユーザＩＤ毎に、画像データのアップロード先の画像提供サーバ装置３０のＵＲＬ（アップロード先）と、当該画像提供サーバ装置３０における、当該ユーザのアカウント名とパスワードが登録されている。
【００３７】
＜動作：事前準備＞
上述のように構成された撮影システムでは、当該撮影システムの運営者が、記録端末装置１０と撮影サーバ装置２０を会場内に設置し、上述の図４に示すテーブルを設定する。
【００３８】
ユーザには、予めユーザＩＤが割り当てられており、この撮影システムを使用する際には、予めユーザにＩＣタグ１２を渡し、撮影サーバ装置２０側でキーボード等の入力装置を用いて、ユーザのユーザＩＤと当該ユーザが使用するＩＣタグ１２のタグＩＤ及び内部識別情報との対応関係を入力し、上述の図２に示すテーブル２３Ａに登録しておく。
【００３９】
また、ユーザは、ＩＣタグ１２を足首や靴等に装着する。さらに、ユーザは、ユーザ端末装置４０等のＷｅｂブラウザを操作して、登録処理部２６が提供する入力フォームを介してログイン情報を入力する。入力されたログイン情報は登録処理部２６がログイン情報保持部２５のテーブル２５Ｂに登録する。
【００４０】
＜動作：撮影＞
個体認識用Ｒ／Ｗ１４及びコマンド用Ｒ／Ｗ１６は、所定時間（例えば１秒）毎に、個体認識領域１３及びコマンド入力領域１５内に存在しているＩＣタグ１２のタグＩＤ及び内部識別情報を読み取り、コントローラ１７に送信している。コントローラ１７は、個体認識用Ｒ／Ｗ１４及びコマンド用Ｒ／Ｗ１６によって検出されたＩＣタグ１２のタグＩＤ及び内部識別情報を保持しており、カメラ１１による撮影の制御等の処理を実行する。なお、この内部識別情報は、当該撮影システム専用のＩＣタグ１２であることを判別するために用いている。
【００４１】
ユーザが記録端末装置１０を用いて撮影を行う際には、個体認識領域１３内に所定時間（例えば５秒）滞在する。コントローラ１７は、例えば図６に示すような撮影制御処理を実行している。コントローラ１７は、当該処理の終了が指示される（Ｓ１５）までの間、コマンド入力領域１５内にＩＣタグ１２が存在しているか否かを検出し（Ｓ１１）、検出されると、コマンド入力領域１５内に連続して５秒以上ＩＣタグ１２が存在しているかを確認し（Ｓ１２）、５秒以上ＩＣタグ１２が存在したときにカメラ１１に撮影を指示する（Ｓ１３）。カメラ１１は、撮影が指示されると、撮影した画像データを当該カメラ１１に対応する記録端末装置１０に割り当てられた識別情報［記録端末ＩＤ］等と共に撮影サーバ装置２０の画像取得部２１宛に送信する。
【００４２】
この後、コントローラ１７は、当該撮影を行ったユーザ（コマンド入力領域１５内に５秒以上滞在したユーザ）が使用しているＩＣタグ１２のタグＩＤ及び内部識別情報と、カメラ１１に撮影を指示した際に個体認識領域１３内に存在していたＩＣタグ１２すなわち撮影されたユーザが使用しているＩＣタグ１２のタグＩＤ及び内部識別情報と、ユーザが撮影に要した時間を被写体情報取得部２２宛に送信する（Ｓ１４）。
【００４３】
画像取得部２１は、カメラ１１からの画像データに固有の識別情報（コンテンツＩＤ）を付与して画像データベース２３に格納する。被写体情報取得部２２は、コンテンツＩＤにコントローラ１７からの情報を対応付けて画像データベース２３に格納する。これにより、画像データベース２３には、例えば図７に示すように、各画像データのコンテンツＩＤに対応付けられた、イベント毎に固有の識別情報（イベントＩＤ）、撮影を行った記録端末装置１０の記録端末ＩＤ、撮影を行った日時、操作者のタグＩＤ、記録対象者のタグＩＤ等の情報２３Ｄが格納される。
【００４４】
上述の「ユーザが撮影に要した時間」は、例えば以下のような処理によってコントローラ１７が求める。コントローラ１７は、上述のように、個体認識用Ｒ／Ｗ１４及びコマンド用Ｒ／Ｗ１６が検出したＩＣタグ１２のタグＩＤを保持している。これらのタグＩＤは、例えば図８に示すように、時刻に対応付けて保持されている。あるユーザによる撮影が実行される前に、当該ユーザが個体認識領域１３内に入り、当該ユーザが使用しているＩＣタグ１２が個体認識用Ｒ／Ｗ１４によって検出されてから撮影が実行されるまでの時間を「撮影に要した時間」とする。
【００４５】
例えば、図８中のコンテンツＩＤ“０１０”の画像データについては、操作者ＩＤ“００１”に対応するユーザが個体認識領域１３に入り、個体認識用Ｒ／Ｗ１４によって記録対象者ＩＤ“００１”として検出された時刻“１２：００：１１”から、当該画像データが撮像された時刻“１２：００：２３”までの１３秒が「撮影に要した時間」となる。また、図８中のコンテンツＩＤ“０１１”の画像データについては、操作者ＩＤ“００１”に対応するユーザが個体認識用Ｒ／Ｗ１４によって記録対象者ＩＤ“００１”として検出された時刻“１２：００：１１”から、当該画像データが撮像された時刻“１２：００：３０”までの２０秒が「撮影に要した時間」となる。
【００４６】
なお、コントローラ１７は、連続している２回分のいずれかで当該ユーザのタグＩＤが記録対象者ＩＤとして検出されていれば、当該２回分の時間、当該ユーザが個体認識領域１３内に居たものとして扱って「撮影に要した時間」を求めている。例えば図８の例では、時刻“１２：００：１７”において、記録対象者ＩＤとして“００１”は検出されていないが、その前後の時刻において記録対象者ＩＤとして“００１”が検出されているため、コントローラ１７は、時刻“１２：００：１７”において
“００１”に対応するユーザが個体認識領域１３内に居たものとして扱っている。
【００４７】
＜動作：アップロード処理＞
上述のように、画像データベース２３に画像データと記録対象者ＩＤ、操作者ＩＤ等の情報２３Ｄが格納されると、アップロード処理部２４は、例えば図９に示すように、これらの画像データと、これに対応する情報２３Ｄを画像提供サーバ装置３０にアップロードする。具体的には、アップロード処理部２４は、アップロードしようとする画像データに対応する情報２３Ｄ中の記録対象者ＩＤに対応する全てのユーザについて、順次、上述の図５に示すテーブル中のアカウント名、パスワードを用い、アップロード先に対応する画像提供サーバ装置３０のログイン処理部３１にログイン処理を行い、画像データと、これに対応する情報２３Ｄをアップロードする。
【００４８】
これにより、画像データに対応する記録対象者である各ユーザ毎の画像データベース３２内の領域には、当該画像データと、例えば図１０に示す当該画像データに対応する情報３２Ａとが格納された状態となり、アップロード処理が終了する。
【００４９】
＜動作：インデックス作成処理＞
インデックス作成部３３は、一定時間毎に、画像データベース３２内のデータに基づいて、各ユーザ毎に、画像データベース３２内の当該ユーザの領域に格納されている画像データ毎の重要度（スコア）を求めてインデックスデータを作成する。
【００５０】
画像データ毎のスコアは、例えば記録端末装置１０が設置された「場所の人気度」、「一緒に写っている他のユーザとの親密度」及び「当該ユーザの注目度」を用いて、インデックス作成部３３が算出する。
【００５１】
「場所の人気度」は、例えば「記録対象者」の人数が多いほどスコアが高く、「記録対象者１人あたりの記録回数」が多いほどスコアが高く、「記録１回あたりの記録人数」が多いほどスコアが高くなるように設定する。具体的には、インデックス作成部３３が、以下の式によって求める。なお、次式中のａ［０］、ａ［１］、ａ［２］は次式の左辺各項の重み付け値であり、情報３２Ａ内の分布に応じて統計的に処理して設定する。
【００５２】
【数１】
0005760764.tif 000002
【００５３】
インデックス作成部３３は、画像データベース３２に登録された全てのユーザの画像データに対応する情報３２Ａを解析し、記録端末装置１０に対応する記録端末ＩＤ毎に、記録対象者の延べ数を求め、「画像データに対応する記録対象者の数」とする。これにより、例えば記録端末ＩＤが“００１”である記録端末装置１０で記録したユーザ（記録対象者）が５名、記録端末ＩＤが“００２”である記録端末装置１０で記録したユーザ（記録対象者）が３名であったとすると、記録端末ＩＤが“００１”である記録端末装置１０で撮影した画像データの重みが大きくなる。
【００５４】
また、インデックス作成部３３は、記録端末装置１０に対応する記録端末ＩＤ毎に、記録対象者１人あたりの平均記録回数を求め、「記録対象者１人あたりの記録回数」とする。これにより、例えば記録端末ＩＤが“００１”である記録端末装置１０での記録対象者１人あたりの記録回数が２回、記録端末ＩＤが“００２”である記録端末装置１０での記録対象者１人あたりの記録回数が３回であったとすると、記録端末ＩＤが“００２”である記録端末装置１０で撮影した画像データの重みが大きくなる。
【００５５】
また、インデックス作成部３３は、記録端末装置１０に対応する記録端末ＩＤ毎に１回の撮影あたりの記録対象者数の平均値を求め、「記録１回あたりの記録対象者の人数」とする。これにより、例えば記録端末ＩＤが“００１”である記録端末装置１０での撮影１回あたり記録対象者の数が３．０人、記録端末ＩＤが“００２”である記録端末装置１０での撮影１回あたり記録対象者の数が２．０人であったとすると、記録端末ＩＤが“００１”である記録端末装置１０で撮影した画像データの重みが大きくなる。このような動作により、画像データのスコアとして「場所の人気度」を算出することができる。
【００５６】
「一緒に写っている他のユーザとの親密度」は、一緒に記録した回数が多いほど親密度が高く、１回あたりの記録で一緒に映った人数が少ないほど、親密度が高く、色々な場所で一緒に映った回数が多いほど親密度が高く、一緒に映っているユーザの親密度が平均として高いと、スコアが高くなるように設定する。具体的には、インデックス作成部３３が、当該画像データに対応する情報３２Ａ中の記録対象者となっている他の全てのユーザについて、以下の式によって求める。
【００５７】
【数２】
0005760764.tif 000003
【００５８】
インデックス作成部３３は、当該画像データの記録対象者となっている他の全てのユーザに対して当該ユーザとの二者間の親密度を求め、これらの和を上式の分子とし、記録対象者となっている他のユーザの総数を上式の分母として、「一緒に写っている他のユーザとの親密度」を求める。ここで、他のユーザとの二者間の親密度は、次式によって求める。なお、次式中のｂ［０］、ｂ［１］、ｂ［２］は次式の左辺各項の重み付け値であり、情報３２Ａ内の分布に応じて統計的に処理して設定する。
【００５９】
【数３】
0005760764.tif 000004
【００６０】
このような算出方法によって「一緒に写っている他のユーザとの親密度」を求めることにより、いずれかが撮影者かどうか、色々な場所で撮影しているかといった情報を使うことで、偶然一緒に映ってしまっただけの他のユーザとの関係について親密度を低くすることできる。また、このような動作により、画像データに映っているユーザ同士の親密度をスコアとして求めることができる。
【００６１】
「当該ユーザの注目度」は、ユーザが記録者本人であると、スコアが高く、ユーザが記録にかけた時間が長いほど、スコアが高くなるように設定する。具体的には、インデックス作成部３３が、次式によって求める。なお、次式中のｃ［０］、ｃ［１］は次式の左辺各項の重み付け値であり、情報３２Ａ内の分布に応じて統計的に処理して設定する。
【００６２】
【数４】
0005760764.tif 000005
【００６３】
ある画像データについて、当該ユーザが記録者であるか否かは、当該画像データに対応する情報３２Ａ中の「操作者」が当該ユーザのユーザＩＤであるか否かで判断する。なお、情報３２Ａ中の「操作者」は、当該ユーザが使用しているＩＣタグ１２のタグＩＤなので、インデックス作成部３３は、例えば登録処理部２６に問い合わせを行い、テーブル２３Ａ中の当該ユーザのユーザＩＤに対応するタグＩＤを取得し、情報３２Ａ中のユーザＩＤ（「操作者」に対応するタグＩＤ）と一致するかを判別する。このように、当該ユーザが操作者の場合には、当該ユーザの意思で撮影しているため、撮影された画像データのスコアが大きくなるように、「当該ユーザの注目度」を求めている。
【００６４】
また、記録にかけた時間は、情報３２Ａ中の「記録にかけた時間」で判断する。「記録にかけた時間」が長ければ、写っているユーザ（記録対象者）達が手間ひまをかけて（こだわって）撮影していると考えられ、撮影された画像データの生成したコンテンツのスコアが大きくなるように、「当該ユーザの注目度」を求めている。このような動作により、ユーザが手間をかけて撮影したであろう画像データのスコアを「当該ユーザの注目度」として、その数値を求めることができる。
【００６５】
上述のように、「場所の人気度」ＷＡ、「一緒に写っている他のユーザとの親密度」ＷＢ及び「当該ユーザの注目度」ＷＣを求めると、インデックス作成部３３は、次式により、各画像データ毎に、これらを総合したスコアＷを求め、例えば図１１に示すように、画像データのコンテンツＩＤに対するスコアを示すテーブル３２Ｂを作成する。なお、このテーブルは、上述のように、各々のユーザ毎に作成する。また、次式中のα、β、γは、次式の左辺各項の重み付け値であり、情報３２Ａ内の分布に応じて統計的に処理して設定する。
【００６６】
【数５】
0005760764.tif 000006
【００６７】
上述のように、スコアを求めると、インデックス作成部３３は、例えば図１２に示すような画像を表示させるテンプレートのデータを用いてインデックスデータを作成する。テンプレートのデータは、画像表示領域５１内に、スコアに応じた順序で画像データを表示する領域５２〜５６と、画像についての情報を表示する領域５８の定義等を含むＨＴＭＬ形式等のページ記述データから構成される。
【００６８】
インデックス作成部３３は、このテンプレートのデータに、スコアに応じて選択した画像データに対するリンクの記述、画像データに対応する情報等を追加してインデックスデータを作成する。画像データに対するリンクの記述は、上述の図１１中のスコアが高い順に、コンテンツＩＤに対応する画像データのＵＲＬ等を領域５２、領域５３、領域５４、領域５５、領域５６に対応する部分の記述に追加する。画像データに対応する情報は、インデックス作成部３３が、例えば図１３に示すように、上述の情報３２Ａを集計したテーブル３２Ｃから、上述の図１１中のスコアが最高の画像データに対応するコンテンツＩＤ、記録日時、記録端末ＩＤ、記録対象者等を取得してテンプレートのデータに追加してインデックスデータを作成する。
【００６９】
このようにインデックス作成部３３が作成したインデックスデータは、インデックス提供部３４がユーザ端末装置４０等からの要求に応じてネットワーク１を介して提供する。このインデックスデータに応じて、ユーザ端末装置４０等で実行されているＷｅｂブラウザ等により、例えば図１４及び図１５に示すような画像が表示される。
【００７０】
ユーザは、ユーザ端末装置４０等のＷｅｂブラウザを操作して、インデックス提供部３４からのインデックスデータを閲覧し、見たい画像データを選択する。画像データが選択されると、選択された画像データに対するリンクの記述に応じて、Ｗｅｂブラウザが画像提供サーバ装置３０に画像データの送信を要求し、これに応じて画像提供サーバ装置３０から供給される画像データを閲覧することができる。
【００７１】
＜効果＞
この実施形態では、上述のように、画像データの撮影時に個体認識領域１３内に居るユーザが使用しているＩＣタグ１２の情報を記録することにより、画像データに写っているユーザについての情報を、簡易に記録しておくことができる。これにより、画像データに写っているユーザについての情報に基づいて、画像データを選択することが容易になる。
【００７２】
また、この実施形態では、上術のように、「場所の人気度」、「一緒に写っている他のユーザとの親密度」、「当該ユーザの注目度」を重要度（スコア）として求めてインデックスデータを作成し、ユーザが使用するユーザ端末装置４０等に対して提供することにより、ユーザにとって重要な画像データを探しやすくすることができ、利便性を向上させることができる。
【００７３】
＜変形例１＞
上述の説明では、個体認識領域１３内のユーザについては、一律に扱って上述のスコアを求めていたが、個体認識領域１３内の領域を細分化し、各々記録対象者について、いずれの領域に居るかの情報も記録しておき、例えば図１６に示すように、カメラ１１に近い方に居るユーザのスコアが大きくなるようにしてもよい。個体認識領域１３中の各領域内の数字はスコアを求める際の重みＷｔを示している。
【００７４】
具体的には、細分化した領域毎に、個体認識用Ｒ／Ｗ１４１〜１４８を設置し、いずれの個体認識用Ｒ／Ｗ１４１〜１４８により記録対象者として検出されたかを記録しておく。各々の記録対象者が検出された領域についての情報は、別途画像提供サーバ装置３０側に提供して保持しておき［配置情報保持手段］、画像提供サーバ装置３０側で重み付けを行って「カメラまでの近さ」ＷＤを求め、上述のスコアに反映させる。
【００７５】
カメラ１１から記録対象者までの距離が近いほうが、撮影された画像データ中に大きく映るため、スコアが大きくなるように、「カメラまでの近さ」を求めている。具体的には、インデックス作成部３３は、次式に従って、「カメラまでの近さ」ＷＤを求める。なお、次式中のｄ［０］は次式の左辺の重み付け値であり、情報３２Ａ内の分布に応じて統計的に処理して設定する。
【００７６】
【数６】
0005760764.tif 000007
【００７７】
この変形例１では、インデックス作成部３３は、次式により、各画像データ毎に、スコアＷ’を求める。なお、このテーブルは、上述のように、各々のユーザ毎に作成する。また、次式中のα、β、γ、δは、次式の左辺各項の重み付け値であり、情報３２Ａ内の分布に応じて統計的に処理して設定する。
【００７８】
【数７】
0005760764.tif 000008
【００７９】
以上の処理により、この変形例１では、カメラ１１までの近さに応じた重み付けを行ってスコアを求めているため、カメラ１１に近い、すなわち、自分が画像データ中に大きく写っている画像データを上位に表示することができる。
【００８０】
＜変形例２＞
上述の説明では、インデックス作成部３３がインデックスを作成する際に、スコア順に画像データを選択するようにしていたが、例えば一定時間内でのスコア順で画像データを選択したり、記録端末装置１０を設置した領域（エリア）別のスコア順で画像データを選択したりしてもよく。さらに、これらを組み合わせてインデックスを作成するようにしてもよい。これにより、ユーザの利便性をさらに向上させることができる。また、例えば複数のユーザ（自分と他人であっても、他人だけでもよい）を指定し、当該複数のユーザのＩＤを含む画像データを対象とし、上述のスコア上位順に表示してもよい。
【００８１】
＜変形例３＞
上述の説明では、会場で撮影を行う前に、各々のユーザがログイン情報を設定するようにしていたが、撮影後に、ログイン情報を設定するようにしてもよい。この場合は、アップロード処理部２４による画像提供サーバ装置３０に対するアップロード処理は、ユーザがログイン情報を設定した後に行うようにする。
【００８２】
＜変形例４＞
上述の説明では、撮影サーバ装置２０に画像提供サーバ装置３０に対するログイン情報を保持しておき、アップロード処理部２４がこのログイン情報を用いてアップロード処理を行うようにしていたが、セキュリティの向上等の観点から、撮影サーバ装置２０にはログイン情報を保持せず、パススルー認証等の方法により、画像提供サーバ装置３０に対するログイン処理を行うようにしてもよい。
【００８３】
＜変形例５＞
上述の説明では、インデックス作成部３３が、一定時間毎にインデックスデータを作成する動作としていたが、インデックス作成部３３が、ユーザ端末装置４０等から要求があったタイミングで、インデックスデータを作成し、インデックス提供部３４がユーザ端末装置４０等に提供する動作としてもよい。
【符号の説明】
【００８４】
１  …  ネットワーク
１０  …  記録端末装置
１１  …  カメラ
１２  …  ＩＣタグ
１４  …  個体認識用Ｒ／Ｗ
１６  …  コマンド用Ｒ／Ｗ
１７  …  コントローラ
２０  …  撮影サーバ装置
２３  …  画像データベース
２４  …  アップロード処理部
３０  …  画像提供サーバ装置
３１  …  ログイン処理部
３２  …  画像データベース
３３  …  インデックス作成部
３４  …  インデックス提供部
４０  …  ユーザ端末装置
【図１】
0005760764.tif 000009
【図２】
0005760764.tif 000010
【図３】
0005760764.tif 000011
【図４】
0005760764.tif 000012
【図５】
0005760764.tif 000013
【図６】
0005760764.tif 000014
【図７】
0005760764.tif 000015
【図８】
0005760764.tif 000016
【図９】
0005760764.tif 000017
【図１０】
0005760764.tif 000018
【図１１】
0005760764.tif 000019
【図１２】
0005760764.tif 000020
【図１３】
0005760764.tif 000021
【図１４】
0005760764.tif 000022
【図１５】
0005760764.tif 000023
【図１６】
0005760764.tif 000024